(57)【要約】【課題】排泄物収集機能を有し、高温および高圧により殺菌を行なうことができる実験用小動物飼育ケージを提供する。【解決手段】ゲージ１および収集装置４を備え、ゲージ１は四角形で上部が空いている箱型の物体で、ゲージ１の適当な壁面に給餌箱２および給水瓶３をそれぞれ配置し、左側板１４および右側板１５の底部に対応するように一対のトレイ挿着スロット１６が設けられ、収集装置４は収集トレイ４１を有し、収集トレイ４１のトレイ斜面４１１はそれぞれ下方に向っており、その下部に導液口４１２が伸び、導液口４１２に試験管４１３が嵌合され、収集トレイ４１の頂面周縁にトレイ外縁部４１４が形成され、上部に金綱４２が配置され、収集トレイ４１の両側に外部へ延伸する一対のトレイ挿着片４１５が設けられ、ゲージ１の底部に対応するように設けられた一対のトレイ挿着スロット１６に挿入されたことを特徴とする実験用小動物飼育ケージ。【選択図】図１
0003143634.tif 000002
【実用新案登録請求の範囲】
【請求項１】
ゲージおよび収集装置を備える実験用小動物飼育ケージであって、
前記ゲージは、四角形で、上部が空いている箱型の物体であり、底層の周囲は上方に延伸する前面板、後面板、左側板および右側板が囲むように枠を形成し、前記ゲージの適当な壁面に給餌箱および給水瓶をそれぞれ配置し、前記左側板および前記右側板の底部に対応するように一対のトレイ挿着スロットが設けられ、
前記収集装置は、収集トレイを有し、前記収集トレイのトレイ斜面はそれぞれ下方に向っており、その下部に導液口が伸び、前記導液口に試験管が嵌合され、前記収集トレイの頂面周縁にトレイ外縁部が形成され、上部に金綱が配置され、前記収集トレイの両側に外部へ延伸する一対のトレイ挿着片が設けられ、前記ゲージの底部に対応するように設けられた一対のトレイ挿着スロットに挿入され、実験対象の小動物の糞便は前記金綱の細かい網目を通過することができないため、前記金綱上に残り、小動物の尿は前記底層および前記金綱を通過し、前記トレイ斜面を伝わって前記導液口を通過し、前記試験管に収集されることを特徴とする実験用小動物飼育ケージ。
【請求項２】
前記ゲージの両側壁間の幅に対応する分隔板を有し、前記分隔板の両側には支持片がそれぞれ接合され、底部から少なくとも１つの突起が突出しており、前記底層の前記金綱に嵌挿されて固定されることにより、前記ゲージの空間を縮小させる分隔装置をさらに備えることを特徴とする請求項１に記載の実験用小動物飼育ケージ。
【請求項３】
前記前面板は、前記金網であり、開口を設け、前記開口の前方に前記給餌箱が固設され、前記前面板に前記給水瓶が固設され、給水口が前記前面板の網の目を通り抜けることを特徴とする請求項１に記載の実験用小動物飼育ケージ。
【請求項４】
前記給餌箱は、後の端部に外側に延伸している給餌箱挿着片を有し、前記前面板の前記開口周辺に設けられた給餌箱挿着スロット内に挿入され、前記給餌箱を前記開口の前方に固着させ、前記給水瓶は瓶立て内に嵌挿され、前記瓶立ての後部の一対の係着部が前記前面板の前記網の目に係着されることにより、前記給水口がゲージ内に入ることを特徴とする請求項１または３に記載の実験用小動物飼育ケージ。
【請求項５】
前記給餌箱は、内部の導板の背面に網片を配置し、前記網片は顆粒状の飼料を止め、前記前面板の前記開口に隣接することを特徴とする請求項４に記載の実験用小動物飼育ケージ。
【請求項６】
前記給餌箱は、底部の前記導板の後方には水平に餌供給用凹部が延伸し、前記前面板の前記開口を越えて粉末状の飼料が前記導板から前記餌供給用凹部内に移動することを特徴とする請求項４に記載の実験用小動物飼育ケージ。
【請求項７】
ケージ棚をさらに含む実験用小動物飼育ケージであって、
前記ケージ棚多層の片面または両面の棚で、各層の棚の頂部に、等間隔にケージ挿着スロットが配置され、前記ゲージの頂部の両側に一対の棚挿着片が装着され、前記棚挿着片は前記ケージ棚の各層の棚の頂部に配置された前記ケージ挿着スロットに挿着されることを特徴とする請求項１に記載の実験用小動物飼育ケージ。
【考案の詳細な説明】
【技術分野】
【０００１】
本考案は、飼育ゲージに関し、特に、ラットやマウスなどを飼育し、糞尿などの排泄物を収集する機能を有し、生理代謝および測定に用いる実験用小動物飼育ケージに関する。
【背景技術】
【０００２】
医薬品が開発され、臨床実験を行なう前、ラットやマウスなどの小動物を用いて医薬品の生理代謝の実験および測定を行なうことにより、薬品の治療効果または毒性を知ることができる。従来の実験用小動物飼育ケージは、ケージの底部に床敷を敷くため、糞尿などの排泄物を収集するのが困難であった。また、独立したケージであったため、集中的に管理するのが困難であった。特に、同様の生理代謝実験を行なう際、実験対象のグループと比較されるグループとのケージが効果的に管理できないということがよくあった。複数の小動物が飼育される場合、観察が不便であった。特に、毒性実験を行なう場合は、尿、糞便、飼料摂取量、水分摂取量など重要な毒性指標の変化が観察できなかった。そのため、従来の実験用小動物飼育ケージは、機能が不十分であった。
【０００３】
以上の欠点を解決するため、特許文献１は、ラットやマウスの飼育ゲージを開示した。各飼育ゲージは、引き出し係着型でゲージ棚上に配置されている。１つのゲージ棚には、縦横に複数の飼育ゲージを係着することができる。この飼育ゲージの特徴は、上部が大きく、下部が小さい台形を呈し、頂部が引き出し係着型でゲージ棚上に配置され、出し入れ自在である。飼料入れは、飼育ゲージ内壁に係着され、給水瓶は、外部から飼育ゲージ前面に挿入される。底部は、金綱である。
【０００４】
特許文献１は、飼料摂取量および水分摂取量の制御および測定が可能であるが、排泄物の収集機能は有していないという点については全く改善されていない。
【０００５】
そのため、生理代謝実験および測定に用いられる排泄物収集機能を有する実験用小動物飼育ケージが求められていた。
【特許文献１】中国実用新案第０９３２００６７７．２号明細書
【考案の開示】
【考案が解決しようとする課題】
【０００６】
本考案の目的は、排泄物収集機能を有し、高温および高圧により殺菌を行なうことができる実験用小動物飼育ケージを提供することにある。
【課題を解決するための手段】
【０００７】
上述の目的を達成するため、本考案は、実験用小動物飼育ケージを提供する。本考案の発実験用小動物飼育ケージは、ゲージおよび収集装置を備える。ゲージは、四角形で、上部が空いている箱型の物体である。底層の周囲は上方に延伸する前面板、後面板、左側板および右側板が囲むように枠を形成する。ゲージの適当な壁面に給餌箱および給水瓶をそれぞれ配置し、左側板および右側板の底部に対応するように一対のトレイ挿着スロットが設けられている。収集装置は、収集トレイを有し、収集トレイのトレイ斜面はそれぞれ下方に向っており、その下部に導液口が伸び、導液口に試験管が嵌合されている。収集トレイの頂面周縁にトレイ外縁部が形成され、上部に金綱が配置され、収集トレイの両側に外部へ延伸する一対のトレイ挿着片が設けられ、ゲージの底部に対応するように設けられた一対のトレイ挿着スロットに挿入されている。実験対象の小動物の糞便は、金綱の細かい網目を通過することができないため、金綱上に残り、小動物の尿は、底層および金綱を通過し、トレイ斜面を伝わって導液口を通過し、試験管に収集される。
【考案の効果】
【０００８】
本考案の実験用小動物飼育ケージは、排泄物収集機能を有するため、医薬品の生理代謝の実験および測定において、精度の高い実験結果を得ることができる。また、高温および高圧により殺菌を行なうことができるため、小動物への悪影響を防止し、高い安全性を確保することができる。
【考案を実施するための最良の形態】
【０００９】
以下、本考案の第一の実施形態を図面に基づいて説明する。図１は、本考案の一実施形態による実験用小動物飼育ケージを示す分解斜視図である。図２は、本考案の一実施形態による実験用小動物飼育ケージを示す斜視図である。図１および図２に示すように、本考案の一実施形態による実験用小動物飼育ケージは、ゲージ１、給餌箱２、給水瓶３および収集装置４からなる。
【００１０】
ゲージ１は、四角形で、上部が空いている箱型の物体である。底部は、金網状の底層１１である。底層１１の周囲は、上方に延伸する前面板１２、後面板１３、左側板１４および右側板１５が囲むように枠を形成する。図１に示すように、前面板１２は、金網であることが好適であり、飼育されている小動物の生態を観察するのに便利である。
【００１１】
飼料摂取量および水分摂取量の測定のため、例えば、前面板１２など適当な壁面に給餌箱２および給水瓶３をそれぞれ配置する。これにより、ゲージ１を移動させることなく、飼料および水の供給ができ、便利である。給餌箱２を固定させるため、前面板１２の金網には開口１２１が設けられている。開口１２１の周囲には三方に湾曲した給餌箱挿着スロット１２２が設けられ、給餌箱２の挿入および固定に用いられている。給水瓶３の給水口３１は、金綱状の前面板１２の網の目１２３を通り抜けて飼育されている小動物に水を供給する。また、例えば、前面板１２の頂部のような適当な位置に取手１２４を設けると、移送において便利である。
【００１２】
ゲージ１の特徴は、底面および頂面の両側に対応するようにトレイ挿着スロット１６および棚挿着片１７がそれぞれ配置されて、トレイ挿着スロット１６は収集装置４と結合され、棚挿着片１７はケージ棚６と結合されていることである。
【００１３】
給餌箱２は、頂部が空いている箱型の部品で、計量された飼料を収納している。給餌箱２の後の端部には外側に延伸している給餌箱挿着片２１があり、給餌箱挿着スロット１２２内に挿入されている。給餌箱２の底部が給餌箱挿着スロット１２２の底縁に接触されるまで挿入されると、前面板１２の開口１２１の前方に固着される。顆粒状または粉末状など異なる種類の飼料を飼育されている小動物に与えるため、給餌箱２の内部の導板２３（図示せず）の背面に網片２２が配置されている。ラットは、口を開口１２１および網片２２から給餌箱２に入れて、網片２２により止められた顆粒状の飼料を食する。また、給餌箱２の底部の導板２３の後方には水平に餌供給用凹部２４が延伸している。開口１２１を越えて、粉末状の飼料が導板２３から餌供給用凹部２４内に移動してマウスに提供される。
【００１４】
実験対象の小動物に関する資料の書き込みおよびチェックのため、給餌箱２の前面に三方に湾曲したカードスロット２５を配置して、資料カード２６を挿入する。
【００１５】
給水瓶３は、従来技術であり、その底部から給水口３１が延伸している。給水瓶３は、前面板１２に固接されるように、瓶立て３２内に嵌挿されている。給水口３１は、瓶立て３２から後方に伸びている。瓶立て３２の後部の一対の係着部３２１は、前面板１２の網の目１２３に係着されている。これにより、給水口３１は、ゲージ１内に入り、水を供給する。
【００１６】
収集装置４は、収集トレイ４１および金綱４２からなり、ゲージ１の底部に出し入れ可能なように装着されている。収集トレイ４１のトレイ斜面４１１は、それぞれ下方に向っており、その下部に導液口４１２が伸びているため、トレイ斜面４１１を伝わって導液口４１２を通過した小動物の尿は、導液口４１２に嵌合している試験管４１３に収集される。これにより、生理代謝の実験および測定が容易に行なわれる。収集トレイ４１の頂面周縁に内側に向ってトレイ外縁部４１４が形成されており、上部に金綱４２を配置している。実験対象の小動物の糞便は、金綱４２の細かい網目を通過することができないため、金綱４２上に残り、収集が容易である。収集装置４がゲージ１の底部に装着できるように、頂部の両側に外部へ延伸する一対のトレイ挿着片４１５が設けられ、ゲージ１の底部に対応するように設けられた一対のトレイ挿着スロット１６に挿入される。これにより、収集装置４は、ゲージ１の底部において出し入れが可能である。
【００１７】
実験対象の小動物がゲージ１の後部で排泄した尿がトレイ斜面４１１上に留まって測定精度が失われることがなく、さらに正確に測定されるために、本考案の一実施形態は、さらに分隔装置５を配置する。分隔装置５は、１の左側板１４と右側板１５との間の長さに対応する分隔板５１を有する。分隔板５１の両側には支持片５２がそれぞれ接合され、底部から少なくとも１つの突起５２１が突出しており、底層１１の金綱に嵌挿されて固定される。実験対象の小動物は、分隔装置５が設けられることにより、ゲージ１の前部においてしか行動できないため、排尿が行なわれると、尿は、底層１１および金綱４２を通過して収集トレイ４１の前部のトレイ斜面４１１に落下し、迅速に導液口４１２を通過して試験管４１３により収集される。
【００１８】
図３は、本考案の実験用小動物飼育ケージがケージ棚に装着された状態を示す斜視図である。図４は、本考案の複数の実験用小動物飼育ケージがケージ棚に装着された状態を示す斜視図である。図３および図４に示すように、本考案の一実施形態による実験用小動物飼育ケージは、複数のケージを効果的に管理するため、ケージ棚６をさらに含む。ケージ棚６は、多層の片面または両面の棚である。各層の棚の頂部には、等間隔にケージ挿着スロット６１が配置され、ゲージ１の上部両側に一対の棚挿着片１７が装着される。図４を参照する。上層および下層の棚には、それぞれ３つのゲージ１が装着され、縦横方向に整然と配列されており、ゲージ１を取り扱う際は、引出しのように出し入れを行なう。また、各層の棚の下方には、トレイ６２を嵌着することができる。排泄物を収集しないときは、ゲージ１底部の収集装置４を抜き出して、排泄物がトレイ６２上に直接落下するようにする。これにより、清掃が便利になる以外に、ゲージ１の構造を簡単にすることができる。
【００１９】
本考案の実験用小動物飼育ケージは、試験管４１３以外の部品は、主にステンレスなどの金属およびガラス（給水瓶３）からなるため、高温および高圧により殺菌を行なうことができる。これにより、生理代謝の実験および測定の精度を確保することができる。
【００２０】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【図面の簡単な説明】
【００２１】
。
【図１】本考案の一実施形態による実験用小動物飼育ケージを示す分解斜視図である。
【図２】本考案の一実施形態による実験用小動物飼育ケージを示す斜視図である。
【図３】本考案の実験用小動物飼育ケージがケージ棚に装着された状態を示す斜視図である。
【図４】本考案の複数の実験用小動物飼育ケージがケージ棚に装着された状態を示す斜視図である。
【符号の説明】
【００２２】
１  ケージ
２  給餌箱
３  給水瓶
４  収集装置
５  分隔装置
６  ケージ棚
１１  底層
１２  前面板
１３  後板
１４  左側板
１５  右側板
１６  トレイ挿着スロット
１７  棚挿着片
２１  給餌箱挿着片
２２  網片
２３  導板
２４  餌供給用凹部
２５  カードスロット
２６  資料カード
３１  給水口
３２  瓶立て
４１  収集トレイ
４２  金綱
５１  分隔板
５２  支持片
６１  ケージ挿着スロット
６２  トレイ
１２１  開口
１２２  給餌箱挿着スロット
１２３  網の目
１２４  取手
３２１  係着部
４１１  トレイ斜面
４１２  導液口
４１３  試験管
４１４  トレイ外縁部
４１５  トレイ挿着片
５２１  突起
【図１】
0003143634.tif 000003
【図２】
0003143634.tif 000004
【図３】
0003143634.tif 000005
【図４】
0003143634.tif 000006